(57)【要約】【課題】既存の戸当たり門柱をそのまま使用して、門扉開閉時にラッチの当接により発生する音を低減できる門扉を提供する。【解決手段】一方の門柱に開閉可能に支持した扉体にラッチ錠を取り付け、他方の門柱の門通路に望む面にラッチ受けを取り付けた門扉において、前記ラッチ受けをラッチを受け入れる凹部を有するラッチ受け部品と、前記他方の門柱の門通路に望む面に、前記ラッチ受け部品よりも敷地外側部分において固着されるラッチ当接部品とに分割して形成し、前記ラッチ受け部品は金属製とし、前記ラッチ当接部品を樹脂製とした。【選択図】図２
2009203731.tif 000002
【特許請求の範囲】
【請求項１】
一方の門柱に開閉可能に支持した扉体にラッチ錠を取り付け、他方の門柱の門通路に望む面にラッチ受けを取り付けた門扉において、前記ラッチ受けをラッチを受け入れる凹部を有するラッチ受け部品と、前記他方の門柱の門通路に望む面に、前記ラッチ受け部品よりも敷地外側部分において固着されるラッチ当接部品とに分割して形成し、前記ラッチ受け部品は金属製とし、前記ラッチ当接部品を樹脂製としたことを特徴とする片開き門扉。
【請求項２】
ラッチ当接部品は薄板状に形成され、他方の門柱の門通路に望む面に当接して固着されていることを特徴とする請求項１に記載の片開き門扉。
【請求項３】
ラッチ受け部品も樹脂製としたことを特徴とする請求項１に記載の片開き門扉。
【発明の詳細な説明】
【技術分野】
【０００１】
本発明は、ラッチ錠を用いる片開き門扉に関する。
【背景技術】
【０００２】
従来、ラッチ錠を用いる片開き門扉を外開き納まりで取り付ける場合は、扉体にラッチ錠を取付け、戸当たり門柱にラッチ受けを取り付けている。そして、そのラッチ受けは、戸当たり門柱の門通路に望む平面の敷地側に寄った位置に取り付けられている。また、ラッチ錠のラッチは、ラッチヘッドが常に扉体の戸面から突出するように付勢されている。
従って、門扉のとりわけ閉時に、その突出しているラッチヘッドが戸当たり門柱の門通路に望む平面に、一例として１０〜１５ｃｍ程度に渡って接触する。ラッチと戸当たり門柱はいずれも金属製である。そのため、門扉閉時に、ラッチと戸当たり門柱の金属同士が当接して滑ることにより、比較的長い間、高く強い金属音（摩擦音）を発生するので、この発生音の低減が望まれていた。
【０００３】
この発生音の低減を図った門扉には、例えば、特許文献１のものが知られている。しかしながら、この先行技術は、門柱に特殊な形状を有する専用の形材を必要とし、あるいは、既存の門柱に特有な形状を有する形材を付加する必要があるので、生産性や製造コストの面で問題があった。
【特許文献１】特開平２００１−２１４６８１号公報
【発明の開示】
【発明が解決しようとする課題】
【０００４】
本発明は、上記の点に鑑みてなされたのであり、その課題は、既存の戸当たり門柱をそのまま使用して、門扉開閉時にラッチの当接により発生する音を低減できる門扉を提供することにある。
【課題を解決するための手段】
【０００５】
本発明は、上記課題を解決するため、一方の門柱に開閉可能に支持した扉体にラッチ錠を取り付け、他方の門柱の門通路に望む面にラッチ受けを取り付けた門扉において、前記ラッチ受けをラッチヘッドを受け入れる凹部を有するラッチ受け部品と、前記他方の門柱の門通路に望む面に、前記ラッチ受け部品よりも敷地外側部分において固着されるラッチ当接部品とに分割して形成し、前記ラッチ受け部品は金属製とし、前記ラッチ当接部品を樹脂製としたことを特徴としている。
上記構成により、門扉の開閉時、とりわけ閉時には、ラッチがラッチ当接部品に当接摺動するが、ラッチ当接部品は樹脂製であるので、摩擦音（金属音）は発生しない。
【０００６】
ラッチ当接部品は薄板状に形成され、他方の門柱の門通路に望む面に当接して固着されていることが望ましい。
【０００７】
ラッチ受け部品も樹脂製とすることが望ましい。
【発明の効果】
【０００８】
請求項１の発明によれば、開閉時に摩擦音（金属音）が発生しない門扉を提供することができる。
【０００９】
請求項２の発明によれば、ラッチ当接部品を安価に製造でき、門柱に対する取付が容易にできる。
【００１０】
請求項３の発明によれば、金属製のラッチが接触する金属部品がないので、摩擦音の発生がより良く抑制される。
【発明を実施するための最良の形態】
【００１１】
次に、本発明の実施の形態について、図面に基づいて説明する。
図１は、本発明に係る外開き納まりの片開き門扉の平面図、図２は戸当たり門柱のラッチ受けが取り付けられている部分を示す図であり、（ａ）は正面図、（ｂ）は（ａ）の中央横断面図、図３は同部分の分解斜視図、図４は作用説明図である。
【００１２】
図１において、Ｄは門柱Ｐ１にヒンジＨを介して開閉可能に取り付けられた扉体であり、その扉体Ｄの先端部に既知のラッチ錠１が埋め込み式で取り付けられ、その戸面にラッチ２が出没自在に設けられ、図示されていないバネにより常時突出するように付勢されている。
【００１３】
図１において、Ｐ２は戸当たり門柱であり、前記ラッチ錠１の取り付け位置に対応する高さにおいて、戸当たり部材３と、ラッチ受け４とが取り付けられている。
【００１４】
戸当たり門柱Ｐ２は、図２及び図３に詳細に示すように、門通路Ｒに望む面の敷地側に寄った位置に、その面に開口して長手方向に連続するあり溝５を有し、そのあり溝の開口を形成する両側の突縁が、ラッチ受け４が取り付けられる位置において所要の長さに渡って切除されて、孔５ａが形成されている。
【００１５】
戸当たり部材３は、門通路Ｒに望む面に当接されてビスｂ１及びあり溝５に挿入されるビス受け６により固定される固定部３１と、その固定部の敷地側端部から門通路Ｒ側に延出する戸当たり部３２とを一体に有し、戸当たり部の敷地外側面に緩衝部材３３が嵌着されている。そして、固定部３１の高さ方向中央部分を矩形に切除（３４）してある。
【００１６】
ラッチ受け４は、門柱Ｐ２の孔５ａに取り付けられるラッチ受け部品４Ａと、門柱に取り付けられたラッチ受け部品に近接し又は連続するように、門通路Ｒに望む面に固定されるラッチ当接部品４Ｂとから構成されている。
【００１７】
ラッチ受け部品４Ａは、門柱Ｐ２に取り付けられた戸当たり部材３の切除部３４に嵌合され、かつ、門柱Ｐ２の門通路に望む面に当接されるストライク４１と、門柱の孔５ａに嵌合される箱４２と、あり溝５内に挿入されて、そのあり溝５の底部と箱４２の間に挟持される上下２個の支持部材４３とからなっている。そして、箱４２の上側と下側に支持部材４３を配置し、その箱４２の正面側に近接したストライク４１の上下の孔４１ａから挿通したビスｂ２を箱の孔又は切欠４２ａに貫通し、さらに支持部材４３の孔４３ａに貫通して、これら支持部材４３と箱４２を門柱Ｐ２の孔５ａに嵌合し、そのビスｂ２をあり溝５の底部に形成した孔に貫通し、あり溝５の背面、すなわち、門柱Ｐ２の中空部内側から装着したポップリベット７にねじ込んで、ラッチ受け部品４ａを門柱に取り付けられている。
【００１８】
ラッチ受け部品４Ａの構成は、ストライク４１を有すれば、箱４２や支持部材４３を必須要件とするものではない。ストライク４１の門柱に対する固着構造も任意である。
【００１９】
ラッチ当接部品４Ｂは、矩形の薄板状に形成された樹脂板であり、一例として、その４隅にビス貫通孔４４が設けられている。そして、門柱Ｐ２の門通路側の面に当接させ、門柱Ｐ２に取り付けられたストライク４１から門柱Ｐ２の道路側の面の至近位置まで延在させ、ビスｂ３をビス貫通孔４４に貫通し、門柱Ｐ２に形成してある孔５ｂにねじ込むことにより、固定されている。
【００２０】
続いて、上記構成による扉体Ｄが閉められるときの作用を図４に基づいて説明する。閉められる扉体Ｄの先端が門柱Ｐ２に接近すると、ラッチ２の先端（ラッチヘッド）がラッチ当接部品４Ｂに当接してラッチ受け部品４Ａ方向に摺動し、扉体Ｄが戸当たり部材３の緩衝部材３３に当たって止められると同時に、そのラッチ２はストライク４１の凹部４１ｂに嵌入し、扉体は閉状態に保持される。このラッチ２の先端がラッチ当接部品４Ｂに当接してラッチ受け部品４Ａ方向に摺動する際は、ラッチ当接部品４Ｂが樹脂製であるので、金属的な摩擦音、その他の騒音が発生することがない。また、閉められている門扉を開けるときは、通常は、ラッチ錠のノブ（不図示）が解錠方向に回されたままで門扉が開方向（敷地外側）に回転されるので、ラッチヘッドがラッチ当接部品４Ｂに当接することはないが、扉体を開けるために回転されたノブが逆回転復帰された場合には、ラッチがラッチ当接部品４Ｂに当接する。しかし、ラッチ当接部品は樹脂製であって、摩擦係数が少ないので、摩擦音を発生することがない。
【図面の簡単な説明】
【００２１】
【図１】本発明に係る外開き納まりの片開き門扉の平面図。
【図２】戸当たり門柱のラッチ受けが取り付けられている部分を示す図であり、（ａ）は正面図、（ｂ）は（ａ）の中央横断面図。
【図３】同部分の分解斜視図。
【図４】作用説明図。
【符号の説明】
【００２２】
Ｐ１      門柱
Ｄ        扉体
Ｐ２      戸当たり門柱
１        ラッチ錠
２        ラッチ
３        戸当たり部材
４        ラッチ受け
４Ａ      ラッチ受け部品
４Ｂ      ラッチ当接部品
４１      ストライク
４２      箱
４３      支持部材
５        溝
【図１】
2009203731.tif 000003
【図２】
2009203731.tif 000004
【図３】
2009203731.tif 000005
【図４】
2009203731.tif 000006